(57)【特許請求の範囲】
【請求項１】
所定の貯留物を貯留する中空円筒状のタンク本体と、
該タンク本体の上部に設けられたドーム状の屋根と、
上端が開口するように前記屋根から前記タンク本体内に垂直状態に設けられるポンプバレルと、
該ポンプバレルの内部に収容され、前記タンク本体内の貯留物を汲み上げるポンプと、
前記ポンプバレルの上端を介して前記ポンプを所定の吊具で吊り上げて前記ポンプバレルから取り出すあるいは／及び前記ポンプバレルに収容するためのクレーンと、を備え、
前記クレーンは、起伏角が可変自在な起伏式クレーンであり、かつ、前記屋根に支持される旋回フレームが前記屋根において前記ポンプバレルよりも中心側に設けられ、またジブが水平方向において前記ポンプバレルの側方に位置するように格納されることを特徴とするタンク。
【請求項２】
前記クレーンは、起伏角及び旋回角を可変することで、前記吊具を前記ポンプバレル上方に位置させる第１の姿勢と、前記ポンプを搬送する車両の駐車スペース上に位置させる第２の姿勢とをとることを特徴とする請求項１に記載のタンク。
【請求項３】
前記クレーンは、前記ポンプバレルの上端に設けられた蓋を移動させるためのチェーンブロックを備えることを特徴とする請求項１または２に記載のタンク。
【発明の詳細な説明】
【技術分野】
【０００１】
本発明は、所定の対象物を貯蔵するタンクに関する。
【背景技術】
【０００２】
近年、ＬＮＧ基地あるいはＬＰＧ基地の建設に際し、周辺環境との調和を考慮してＬＰＧタンクやＬＮＧタンクなどの低温タンクを地中に構築することが行われている。このような地中埋設型タンクを施工する場合、円筒状のタンク本体が地下ピット内に構築され、円形ドーム状の屋根がタンク本体を上方から覆うように地表に構築される。タンク屋根には、内部にポンプを収納したポンプバレルの一端が開口状態で設けられている。このような低温タンクには、複数のポンプバレルが屋根からタンク本体内の底部にかけて垂直に設けられており、このポンプバレルの底部には貯留物であるＬＰＧやＬＮＧを外部に払い出すためのポンプが収納されている。
【０００３】
また、このような低温タンクは、上記ポンプをメンテナンスする際にポンプバレルからポンプを引き上げるためのクレーンを備えている（特許文献１参照）。このクレーンは、走行と旋回を兼ね備えたジブクレーンであり、低温タンクの屋根の上に設けられている。すなわち、低温タンクに備えられた従来のポンプ引上用クレーンは、屋根上に垂直に設けられたポストによって所定長さのジブを水平状態かつ水平移動自在に支持し、ポストが旋回するとともにホイストがジブに沿って走行することによって、ホイストを所定のポンプバレルの上方に移動させてポンプバレルからポンプを吊り上げるものである。
【先行技術文献】
【特許文献】
【０００４】
【特許文献１】特開平１１−２９２４６９号公報
【発明の概要】
【発明が解決しようとする課題】
【０００５】
ところで、近年、低温タンクの大容量化に伴う高さ規制や景観上の配慮から、上述したポンプ引上用クレーンの高さを抑える要求が高まっている。しかしながら、従来のポンプ引上用クレーンは、上述したようにジブを支持するためのポストが垂直姿勢で低温タンクの屋根上に立設されているので、屋根上に一定の高さを有するポンプ引上用クレーンが常時立設した状態に存在することになる。したがって、従来の低温タンクにおけるポンプ引上用クレーンは、高さ規制や景観に対する要求に対して十分に対応していないという問題がある。
【０００６】
本発明は、上述した事情に鑑みてなされたものであり、高さ規制や景観に対する要求に対して十分に対応することを目的とするものである。
【課題を解決するための手段】
【０００７】
上記目的を達成するために、本発明に係る第１の解決手段として、所定の貯留物を貯留するタンク本体と、該タンク本体の上部に設けられ、所定の開口が形成された屋根と、開口からタンク本体内に垂直状態に設けられるポンプバレルと、該ポンプバレルの内部に収容され、タンク本体内の貯留物を汲み上げるポンプと、開口を介してポンプを所定の吊具で吊り上げてポンプバレルから取り出すあるいは／及びポンプバレルに収容するためのクレーンと、を備え、クレーンは起伏角が可変自在な起伏式クレーンである、という手段を採用する。
【０００８】
本発明に係る第２の解決手段として、上記第１の解決手段において、クレーンは、起伏角及び旋回角を可変することで、吊具をポンプバレル上方に位置させる第１の姿勢と、ポンプを搬送する車両の駐車スペース上に位置させる第２の姿勢とをとる、という手段を採用する。
【０００９】
本発明に係る第３の解決手段として、上記第１または第２の解決手段において、クレーンは、開口に設けられた蓋を移動させるためのチェーンブロックを備える、という手段を採用する。
【発明の効果】
【００１０】
本発明によれば、ポンプを所定の吊具で吊り上げてポンプバレルから取り出すあるいは／及びポンプバレルに収容するためのクレーンとして起伏式クレーンを採用するので、クレーンの不使用時にはクレーンの高さが低く抑えられ、よって高さ規制を解決し、景観性にも優れたタンクを得ることができる。
すなわち、ポンプバレル内のポンプを引き上げるときには、クレーンを起こすことにより一部が高くなるが、それ以外のクレーンの不使用時には、クレーンを伏せた状態とすることでクレーン全体の高さを抑えることができるので、従来技術とは異なり、高さ規制や景観に対する要求に対して十分に対応することができる。
【図面の簡単な説明】
【００１１】
【図１】本発明の一実施形態に係る低温タンクの全体構成を示す側面図である。
【図２】本発明の一実施形態に係る低温タンクの一部を示す上面図である。
【図３】本発明の一実施形態に係る低温タンクにおけるクレーンの全体構成を示す側面図である。
【発明を実施するための形態】
【００１２】
次に、図面を参照して本発明の実施形態について説明する。
本実施形態は、種々の貯留物を貯留する各種タンクのうち、ＬＰＧやＬＮＧなどの極低温液体を貯留物として貯蔵する低温タンクに関するものである。
【００１３】
図１は、低温タンクの全体構成を示した側面図である。図２は、低温タンクの一部を示した上面図である。また、図３は、低温タンク上に備えられた起伏式クレーンの全体構成を示した側面図である。低温タンク１は、略中空円筒状の貯蔵タンク本体２を備え、貯蔵タンク本体２の外周壁（符号２Ａで示した）に沿って、複数箇所（本実施形態では５カ所）のポンプバレル３ａ〜３ｅが設けられている。
【００１４】
ポンプバレル３ａ〜３ｅは、貯蔵タンク本体２の屋根２Ｂから貯蔵タンク本体２の底部までタンク内に垂直に設けられる筒状部材であり、その上端は屋根２Ｂ上に開口可能な構造であると共にその底部にはポンプ４が収納されている。このポンプバレル３ａ〜３ｅは、一定の領域に複数本が設けられており、本実施形態では、図２のように後述のクレーン５の旋回範囲内に５カ所設けられている。また、ポンプバレル３ａ〜３ｅの開口端にはそれぞれヘッドプレート３ｆが蓋として備えられており、該ヘッドプレート３ｆにはポンプ４に取り付けられたワイヤ４ａの端部が係止されている。
【００１５】
クレーン５は、起伏式クレーンである。このクレーン５は、吊荷対象であるポンプを吊り上げる腕をなすジブ６の先端から、ポンプを吊り上げるための吊具７が垂れ下げられた構造となっている。本実施形態では二重（紙面奥行き方向に重なって二つ）の吊具７を備え、各吊具７は、各々ジブ６に沿って掛け回された吊りロープ８により吊り下げられている。吊りロープ８は、ジブ６の基端部に設けられた二つの巻上装置９によりそれぞれ巻取り、繰り出しが行われる。
【００１６】
また、ジブ先端部には手動チェーンブロック１０が設けられている。チェーンブロック１０はヘッドプレート３ｆを取り外す際に使用されるものであり、ポンプバレルの近傍にわずかにずらすだけでよいため、引き上げ高さはポンプの引き上げ高さと比較して遥かにわずかでよい。
【００１７】
さらに、ジブ基端部には、ジブ６を起伏させる起伏シリンダ（アクチュエータ）１１と、ジブ６及び起伏シリンダ１１の基端部を支持する旋回フレーム１２とが設けられている。このように二重の吊り具によりポンプを吊り上げることで、一方の吊りロープ８が何らかの原因により切断された場合であってもポンプをポンプバレル内に落下させることなく安全に引き上げることができる。
【００１８】
図２において、Ｘ印は、屋根２Ｂの上におけるクレーン５の位置を示し、Ｒはクレーン５の旋回範囲を示している。旋回範囲Ｒの内側に、上記各ポンプバレル３ａ〜３ｅの開口が位置していることが分かる。また、タンク本体２の周囲にはＬＮＧ輸送用等の配管系２０が設けられているが、クレーン５の旋回範囲Ｒの内側、すなわちクレーン５によって荷下ろし可能な範囲に、搬送車両を駐車する駐車スペース２１が設けられている。
【００１９】
次に、クレーン５を用いたポンプ４のメンテナンス作業について説明する。
なお、以下では一つのポンプバレル３ａに収容されたポンプ４を取り出す作業について説明するが、他のポンプバレル３b〜３ｅについても同様であるため、説明を省略する。
【００２０】
ポンプバレル３ａの開口端にはヘッドプレート３ｆが蓋として備えられているため、まずこの蓋を外す作業を行う。旋回フレーム１２によりジブ６を所定角に旋回させるとともに、起伏シリンダ１１を駆動してクレーン５の仰角を所定角度に制御することで、手動チェーンブロック１０をヘッドプレート３ｆの直上に位置させる。手動チェーンブロック１０を用いてヘッドプレート３ｆを近傍にずらし、ポンプバレル３ａの上端を開放する。
【００２１】
次いで、さらにジブ６の角度を制御し、吊具７がポンプバレル３ａの直上に来るように制御する。吊具７を下ろし、ヘッドプレート３ｆに係止されていたワイヤ４ａが吊具７に付け替えられる。そして、巻上装置９によりワイヤ４ａが巻き上げられることにより、ポンプ４は上方に吊り上げられる。
【００２２】
そして、クレーン５を旋回させ、駐車スペース２１への搬送前にポンプ仮置場にポンプ４を一時設置し、ポンプ４のパージを行った後、駐車スペース２１に駐車している搬送車両の荷台にポンプ４を積み降ろし、搬出してメンテナンスを行う。
なお、メンテナンスが終了した後のポンプ４を再び設置する工程は、上記と略逆の手順で行えばよいため、その説明を省略する。
【００２３】
作業終了後は、図３の破線５’で示したようにジブ６を低く下げ、格納状態とする。
ジブ６は従来技術とは異なりポストを介さず、屋根２Ｂに近い位置にその回転中心が位置していることにより、不使用時には仰角を下げることによってクレーン全体の高さが低くなる。すなわち収納状態では、ジブ６は先端が下がった状態となり、屋根２Ｂと比較しても高さが十分低い状態となる。
なお、格納時のジブ６の角度は、略水平であってもよいし、ドーム形状の屋根２Ｂの形状に沿ってより目立たなくなるよう水平よりも角度を低く格納してもよい。
【００２４】
本実施形態のタンクによれば、ポンプ４を吊具７で吊り上げてポンプバレル３ａ〜３ｅから取り出すあるいは／及びポンプバレル３ａ〜３ｅに収容するためのクレーン５として起伏式クレーンを採用するので、不使用時にはクレーン５の高さが低く抑えられることにより、高さ規制を解決し、景観性にも優れた低温タンクを得ることができる。
すなわち、ポンプバレル３ａ〜３ｅ内のポンプ４を引き上げるときには、ジブ６を起こすことによりジブ６が高くなるが、それ以外のクレーン５の不使用時には、ジブ６を伏せた状態とすることでクレーン５の全体的な高さを抑えることができるので、高さ規制や景観に対する要求に対して十分に対応することができる。
【００２５】
また、クレーン５を屋根２Ｂ上に配置することで、配管系２０の設置面積を確保しつつも、駐車スペース２１へのポンプ荷下ろしを可能とすることができる。ジブ６の起伏角度を下げると、ジブ６の先端はより遠くへ位置する。したがって、タンク本体２の外側に位置する、ポンプバレル３ａ〜３ｅよりも遠い駐車スペース２１にもクレーン５が届きポンプ４を容易に搬送することができる。すなわち、クレーン５の姿勢を変えることにより、ヘッドプレート３ｆの取り外し姿勢、ポンプ４の引き上げ姿勢、駐車スペース２１へのポンプ４の荷下ろし姿勢及、クレーン５の不使用時における格納姿勢を容易に切り替えることができる。
【符号の説明】
【００２６】
１…低温タンク、２…タンク本体、２Ｂ…屋根、３ａ〜３ｅ…ポンプバレル、４…ポンプ、５…クレーン、６…ジブ、７…吊具、１０…手動チェーンブロック、１１…起伏シリンダ、１２…旋回フレーム、２０…配管系、２１…駐車スペース
【図１】
0005902370.tif 000002
【図２】
0005902370.tif 000003
【図３】
0005902370.tif 000004